(57)【要約】【課題】携帯端末に不正なＩＭＥＩを書き込んで使用可能にすることを防止できる携帯端末を提供する。【解決手段】自機のＩＭＥＩに基づき動作する携帯端末であって、自機のＩＭＥＩを記憶するＩＭＥＩ記憶部１０６と、自機が使用可能なＩＭＥＩのリストを記憶するＩＭＥＩリスト１０８と、外部から、ＩＭＥＩの書換命令を受け付けるＩ／Ｏ部１２４と、外部からの書換命令の受付を検知する検知部２０２と、検知部２０２が書換命令を検知したとき、該書換命令に基づき、ＩＭＥＩ記憶部１０６に書き込まれるＩＭＥＩが、ＩＭＥＩリスト１０８に記憶されているリストに含まれているか否かを判定する判定部２０４と、リスト１０８に含まれていないと判定されたとき、書換命令によるＩＭＥＩの書換処理を中断し、リスト１０８に含まれていると判定されたとき、書換命令によるＩＭＥＩの書換処理を行う書込部２０８と、を備える。【選択図】図２
2008227692.tif 000002
【特許請求の範囲】
【請求項１】
自機のＩＭＥＩに基づき動作する携帯端末であって、
前記自機の前記ＩＭＥＩを記憶するＩＭＥＩ記憶部と、
前記自機が使用可能なＩＭＥＩのリストを記憶するＩＭＥＩリスト記憶部と、
前記ＩＭＥＩ記憶部の前記ＩＭＥＩが前記ＩＭＥＩリスト記憶部に記憶されている前記リストに含まれているか否かを判定する判定部と、
前記判定部により前記リストに含まれていないと判定されたとき、前記ＩＭＥＩ記憶部の前記ＩＭＥＩは無効として自機の動作を制限し、前記リストに含まれていると判定されたとき、通常動作を行う制御部と、を備える携帯端末。
【請求項２】
請求項１に記載の携帯端末において、
前記判定部は、起動時に判定を行い、
前記制御部は、前記判定部により前記リストに含まれていないと判定されたとき、前記自機の起動処理を中断し、前記リストに含まれていると判定されたとき、起動処理を行う携帯端末。
【請求項３】
自機のＩＭＥＩに基づき動作する携帯端末であって、
前記自機の前記ＩＭＥＩを記憶するＩＭＥＩ記憶部と、
前記自機が使用可能なＩＭＥＩのリストを記憶するＩＭＥＩリスト記憶部と、
外部から、前記ＩＭＥＩ記憶部の前記ＩＭＥＩの書換命令を受け付ける受付部と、
前記受付部による前記外部からの前記書換命令の受付を検知する検知部と、
前記検知部が前記書換命令を検知したとき、該書換命令に基づき、前記ＩＭＥＩ記憶部に書き込まれるＩＭＥＩが、前記ＩＭＥＩリスト記憶部に記憶されている前記リストに含まれているか否かを判定する書換判定部と、
前記書換判定部により前記リストに含まれていないと判定されたとき、前記書換命令による前記ＩＭＥＩの書換処理を中断し、前記リストに含まれていると判定されたとき、前記書換命令による前記ＩＭＥＩの書換処理を行う書換制御部と、を備える携帯端末。
【請求項４】
自機のＩＭＥＩを記憶するＩＭＥＩ記憶部と、
前記自機が使用可能なＩＭＥＩのリストを記憶するＩＭＥＩリスト記憶部と、を備え、前記自機の前記ＩＭＥＩに基づき動作する携帯端末のＩＭＥＩ管理方法であって、
前記自機が使用可能なＩＭＥＩのリストを前記ＩＭＥＩリスト記憶部に予め記憶し、
前記ＩＭＥＩ記憶部の前記ＩＭＥＩが前記ＩＭＥＩリスト記憶部に記憶されている前記リストに含まれているか否かを判定し、
前記リストに含まれていないと判定されたとき、前記ＩＭＥＩ記憶部の前記ＩＭＥＩは無効として自機の動作を制限し、
前記リストに含まれていると判定されたとき、通常動作を行うＩＭＥＩ管理方法。
【請求項５】
請求項４に記載のＩＥＭＩ管理方法において、
自機の起動時に、前記ＩＭＥＩ記憶部の前記ＩＭＥＩが前記ＩＭＥＩリスト記憶部に記憶されている前記リストに含まれているか否かを判定し、
前記リストに含まれていないと判定されたとき、前記自機の起動処理を中断し、
前記リストに含まれていると判定されたとき、起動処理を行うＩＭＥＩ管理方法。
【請求項６】
自機のＩＭＥＩを記憶するＩＭＥＩ記憶部と、
前記自機が使用可能なＩＭＥＩのリストを記憶するＩＭＥＩリスト記憶部と、を備え、前記自機の前記ＩＭＥＩに基づき動作する携帯端末のＩＭＥＩ管理方法であって、
前記自機が使用可能なＩＭＥＩのリストを前記ＩＭＥＩリスト記憶部に予め記憶し、
外部から、前記ＩＭＥＩ記憶部の前記ＩＭＥＩの書換命令を受け付け、
前記外部からの前記書換命令の受付を監視し、
前記外部からの前記書換命令を検知したとき、該書換命令に基づき、前記ＩＭＥＩ記憶部に書き込まれるＩＭＥＩが、前記ＩＭＥＩリスト記憶部に記憶されている前記リストに含まれているか否かを判定し、
前記リストに含まれていないと判定されたとき、前記書換命令による前記ＩＭＥＩの書換処理を中断し、
前記リストに含まれていると判定されたとき、前記書換命令による前記ＩＭＥＩの書換処理を行うＩＭＥＩ管理方法。
【請求項７】
ＩＭＥＩに基づき動作する携帯端末の前記ＩＭＥＩを管理するＩＭＥＩ管理プログラムであって、
前記携帯端末のＩＭＥＩを記憶するＩＭＥＩ記憶部と、前記携帯端末が使用可能なＩＭＥＩのリストを記憶するＩＭＥＩリスト記憶部とを備えるコンピュータを、
前記ＩＭＥＩ記憶部の前記ＩＭＥＩが前記ＩＭＥＩリスト記憶部に記憶されている前記リストに含まれているか否かを判定する手段、
前記判定する手段により前記リストに含まれていないと判定されたとき、前記ＩＭＥＩ記憶部の前記ＩＭＥＩは無効として自機の動作を制限し、前記リストに含まれていると判定されたとき、通常動作を行う手段、として機能させるためのＩＭＥＩ管理プログラム。
【請求項８】
請求項７に記載のＩＭＥＩ管理プログラムにおいて、
前記判定する手段は、前記携帯端末の起動時に、前記ＩＭＥＩ記憶部の前記ＩＭＥＩが前記ＩＭＥＩリスト記憶部に記憶されている前記リストに含まれているか否かを判定し、
動作を制御する手段は、前記判定する手段により前記リストに含まれていないと判定されたとき、前記自機の起動処理を中断し、前記リストに含まれていると判定されたとき、起動処理を行うＩＭＥＩ管理プログラム。
【請求項９】
ＩＭＥＩに基づき動作する携帯端末の前記ＩＭＥＩを管理するＩＭＥＩ管理プログラムであって、
前記携帯端末のＩＭＥＩを記憶するＩＭＥＩ記憶部と、前記自機が使用可能なＩＭＥＩのリストを記憶するＩＭＥＩリスト記憶部とを備えるコンピュータを、
外部から、前記ＩＭＥＩ記憶部の前記ＩＭＥＩの書換命令を受け付ける手段、
前記外部からの前記書換命令の受付を監視する手段、
前記外部からの前記書換命令を検知したとき、該書換命令に基づき、前記ＩＭＥＩ記憶部に書き込まれるＩＭＥＩが、前記ＩＭＥＩリスト記憶部に記憶されている前記リストに含まれているか否かを判定する手段、
前記リストに含まれていないと判定されたとき、前記書換命令による前記ＩＭＥＩの書換処理を中断する手段、
前記リストに含まれていると判定されたとき、前記書換命令による前記ＩＭＥＩの書換処理を行う手段、として機能させるためのＩＭＥＩ管理プログラム。
【発明の詳細な説明】
【技術分野】
【０００１】
本発明は、携帯端末、ＩＭＥＩ管理方法、およびＩＭＥＩ管理プログラムに関し、特に、ＩＭＥＩに基づき動作する携帯端末、およびそのＩＭＥＩ管理方法並びにＩＭＥＩ管理プログラムに関する。
【背景技術】
【０００２】
従来の携帯電話機としては、たとえば特許文献１に記載されたものがある。同文献に記載された携帯電話機は、端末毎に一意的に割り振られているＩＭＥＩ（International Mobile Equipment Identity）が書き込まれている不揮発性メモリを備え、このメモリの付け替えを行うことでＩＭＥＩを変更し、他者の端末に成りすまして不正に使用することを防止するものである。
【特許文献１】特開２００６−２７０２０９号公報
【発明の開示】
【発明が解決しようとする課題】
【０００３】
ところで、近年、ＩＭＥＩを書き換えるためのツールが、たとえばインターネット上に出回り、ＩＭＥＩを勝手に書き換える不正行為が行われている。ＧＳＭ（Global System for Mobile communications）方式の携帯電話の場合、携帯電話機本体と加入者情報を記録したＳＩＭ（Subscriber Identity Module）とに分かれている。複数の携帯電話機に対して同じＳＩＭカードを入れ替えることにより、同じ契約者扱いでいずれの携帯電話機をも使用することが可能になる。つまり、盗難した携帯電話機のＳＩＭカードを他の携帯電話機に実装することにより、他の携帯電話機も使用が可能となる。これに対して携帯電話会社は、盗難された携帯電話機のＩＭＥＩ情報を共有し（ＩＭＥＩブラックリストのシェア）、使用できないようにする対処を施している。そのため、さらなる対向手段として、今度は盗難した携帯電話機のＩＭＥＩを勝手に書き換えて流通させるという不正行為が行われるようになった。
【０００４】
本発明は上記事情に鑑みてなされたものであり、その目的とするところは、携帯端末に不正なＩＭＥＩを書き込んで使用可能にすることを防止できる携帯端末、ＩＭＥＩ管理方法、およびＩＭＥＩ管理プログラムを提供することにある。
【課題を解決するための手段】
【０００５】
本発明によれば、自機のＩＭＥＩに基づき動作する携帯端末であって、
前記自機の前記ＩＭＥＩを記憶するＩＭＥＩ記憶部と、
前記自機が使用可能なＩＭＥＩのリストを記憶するＩＭＥＩリスト記憶部と、
前記ＩＭＥＩ記憶部の前記ＩＭＥＩが前記ＩＭＥＩリスト記憶部に記憶されている前記リストに含まれているか否かを判定する判定部と、
前記判定部により前記リストに含まれていないと判定されたとき、前記ＩＭＥＩ記憶部の前記ＩＭＥＩは無効として自機の動作を制限し、前記リストに含まれていると判定されたとき、通常動作を行う制御部と、を備える携帯端末が提供される。
【０００６】
リストとは、機種毎に設定された自機で使用可能なＩＭＥＩのリストである。判定部による判定は、随時行ってもよいし、定期的に行ってもよい。動作の制限とは、たとえば、携帯端末の使用や操作を不可にしたり、通信を禁止したりすることである。また、ＩＭＥＩがリストと一致しないことをユーザまたは管理者に通知する通知部を設けることもできる。
【０００７】
この発明によれば、メモリ（ＩＭＥＩ記憶部）に記憶されているＩＭＥＩがＩＭＥＩのリストに含まれていない場合に、処理を制限することができるので、不正にＩＭＥＩが書き換えられた携帯端末の使用を防止することができる。
【０００８】
上記携帯端末において、前記判定部は、起動時に判定を行い、前記制御部は、前記判定部により前記リストに含まれていないと判定されたとき、前記自機の起動処理を中断し、前記リストに含まれていると判定されたとき、起動処理を行うことができる。
【０００９】
本発明によれば、自機のＩＭＥＩに基づき動作する携帯端末であって、
前記自機の前記ＩＭＥＩを記憶するＩＭＥＩ記憶部と、
前記自機が使用可能なＩＭＥＩのリストを記憶するＩＭＥＩリスト記憶部と、
外部から、前記ＩＭＥＩ記憶部の前記ＩＭＥＩの書換命令を受け付ける受付部と、
前記受付部による前記外部からの前記書換命令の受付を検知する検知部と、
前記検知部が前記書換命令を検知したとき、該書換命令に基づき、前記ＩＭＥＩ記憶部に書き込まれるＩＭＥＩが、前記ＩＭＥＩリスト記憶部に記憶されている前記リストに含まれているか否かを判定する書換判定部と、
前記書換判定部により前記リストに含まれていないと判定されたとき、前記書換命令による前記ＩＭＥＩの書換処理を中断し、前記リストに含まれていると判定されたとき、前記書換命令による前記ＩＭＥＩの書換処理を行う書換制御部と、を備える携帯端末が提供される。
【００１０】
リストは、機種毎に設定された自機で使用可能なＩＭＥＩのリストである。判定は、随時行ってもよいし、定期的に行ってもよい。動作の制限とは、たとえば、携帯端末の使用や操作を不可にしたり、通信を禁止したりすることである。また、ＩＭＥＩがリストと一致しないことをユーザまたは管理者に通知する通知部を設けることもできる。
【００１１】
この発明によれば、外部からＩＭＥＩを書き換えようとしたとき、ＩＭＥＩリストに含まれていないＩＭＥＩに書き換えることができないので、不正にＩＭＥＩを書き換えることを防止することができる。
【００１２】
本発明によれば、自機のＩＭＥＩを記憶するＩＭＥＩ記憶部と、
前記自機が使用可能なＩＭＥＩのリストを記憶するＩＭＥＩリスト記憶部と、を備え、前記自機の前記ＩＭＥＩに基づき動作する携帯端末のＩＭＥＩ管理方法であって、
前記自機が使用可能なＩＭＥＩのリストを前記ＩＭＥＩリスト記憶部に予め記憶し、
前記ＩＭＥＩ記憶部の前記ＩＭＥＩが前記ＩＭＥＩリスト記憶部に記憶されている前記リストに含まれているか否かを判定し、
前記リストに含まれていないと判定されたとき、前記ＩＭＥＩ記憶部の前記ＩＭＥＩは無効として自機の動作を制限し、
前記リストに含まれていると判定されたとき、通常動作を行うＩＭＥＩ管理方法が提供される。
【００１３】
本発明によれば、自機のＩＭＥＩを記憶するＩＭＥＩ記憶部と、
前記自機が使用可能なＩＭＥＩのリストを記憶するＩＭＥＩリスト記憶部と、を備え、前記自機の前記ＩＭＥＩに基づき動作する携帯端末のＩＭＥＩ管理方法であって、
前記自機が使用可能なＩＭＥＩのリストを前記ＩＭＥＩリスト記憶部に予め記憶し、
外部から、前記ＩＭＥＩ記憶部の前記ＩＭＥＩの書換命令を受け付け、
前記外部からの前記書換命令の受付を監視し、
前記外部からの前記書換命令を検知したとき、該書換命令に基づき、前記ＩＭＥＩ記憶部に書き込まれるＩＭＥＩが、前記ＩＭＥＩリスト記憶部に記憶されている前記リストに含まれているか否かを判定し、
前記リストに含まれていないと判定されたとき、前記書換命令による前記ＩＭＥＩの書換処理を中断し、
前記リストに含まれていると判定されたとき、前記書換命令による前記ＩＭＥＩの書換処理を行うＩＭＥＩ管理方法が提供される。
【００１４】
本発明によれば、ＩＭＥＩに基づき動作する携帯端末の前記ＩＭＥＩを管理するＩＭＥＩ管理プログラムであって、
前記携帯端末のＩＭＥＩを記憶するＩＭＥＩ記憶部と、前記携帯端末が使用可能なＩＭＥＩのリストを記憶するＩＭＥＩリスト記憶部とを備えるコンピュータを、
前記ＩＭＥＩ記憶部の前記ＩＭＥＩが前記ＩＭＥＩリスト記憶部に記憶されている前記リストに含まれているか否かを判定する手段、
前記判定する手段により前記リストに含まれていないと判定されたとき、前記ＩＭＥＩ記憶部の前記ＩＭＥＩは無効として自機の動作を制限し、前記リストに含まれていると判定されたとき、通常動作を行う手段、として機能させるためのＩＭＥＩ管理プログラムが提供される。
【００１５】
本発明によれば、ＩＭＥＩに基づき動作する携帯端末の前記ＩＭＥＩを管理するＩＭＥＩ管理プログラムであって、
前記携帯端末のＩＭＥＩを記憶するＩＭＥＩ記憶部と、前記自機が使用可能なＩＭＥＩのリストを記憶するＩＭＥＩリスト記憶部とを備えるコンピュータを、
外部から、前記ＩＭＥＩ記憶部の前記ＩＭＥＩの書換命令を受け付ける手段、
前記外部からの前記書換命令の受付を監視する手段、
前記外部からの前記書換命令を検知したとき、該書換命令に基づき、前記ＩＭＥＩ記憶部に書き込まれるＩＭＥＩが、前記ＩＭＥＩリスト記憶部に記憶されている前記リストに含まれているか否かを判定する手段、
前記リストに含まれていないと判定されたとき、前記書換命令による前記ＩＭＥＩの書換処理を中断する手段、
前記リストに含まれていると判定されたとき、前記書換命令による前記ＩＭＥＩの書換処理を行う手段、として機能させるためのＩＭＥＩ管理プログラムが提供される。
【００１６】
なお、以上の構成要素の任意の組合せ、本発明の表現を方法、装置、システム、記録媒体、コンピュータプログラムなどの間で変換したものもまた、本発明の態様として有効である。
【発明の効果】
【００１７】
本発明によれば、携帯端末に不正なＩＭＥＩを書き込んで使用可能にすることを防止できる携帯端末が提供される。
【発明を実施するための最良の形態】
【００１８】
以下、本発明の実施の形態について、図面を用いて説明する。尚、すべての図面において、同様な構成要素には同様の符号を付し、適宜説明を省略する。
【００１９】
（第一の実施の形態）
図１は、本発明の実施の形態に係る携帯端末１００の構成を示すブロック図である。携帯端末１００は、たとえば、携帯電話機、ＰＤＡ（Personal Digital Assistants：個人向け携帯型情報通信機器）、データ通信機器などである。なお、以下の各図において、本発明の本質に関わらない部分の構成については省略してある。本実施形態の携帯端末１００は、ＧＳＭ方式の携帯電話機であり、ＳＩＭを使用するものである。
【００２０】
また、携帯端末１００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置にはいろいろな変形例があることは、当業者には理解されるところである。以下説明する各図は、ハードウエア単位の構成ではなく、機能単位のブロックを示している。
【００２１】
携帯端末１００は、ＣＰＵ（Central Processing Unit）１０２と、メモリ１０４と、アンテナ１１０と、無線通信部１１２と、操作部１１６と、操作受付部１１８と、表示部１２０と、表示制御部１２２と、Ｉ／Ｏ部１２４と、コネクタ１２６と、を含む。
【００２２】
ＣＰＵ１０２は、携帯端末１００の各要素とバス１２８を介して接続され、メモリ１０４に格納されているプログラムを実行し、各要素とともに装置全体を制御する。メモリ１０４は、たとえば、書き換え可能なＲＯＭ（Read Only Memory）であるフラッシュメモリである。メモリ１０４は、ＥＥＰＲＯＭ（Electronically Erasable and Programmable ROM：電気的に書き換え可能な不揮発性メモリ）とすることができる。メモリ１０４は、ＣＰＵ１０２が実行する各種の制御プログラムや、携帯端末１００のユーザが設定した設定値、アドレス情報などを記憶するプログラム領域（不図示）と、ＩＭＥＩ記憶部（図中、「ＩＭＥＩ」と示す）１０６と、ＩＭＥＩリスト１０８と、を含む。さらに、メモリ１０４は、ＣＰＵ１０２が制御プログラムを実行する際に使用する作業領域を有するＲＡＭ（Random Access Memory）（不図示）を含む。
【００２３】
ＩＭＥＩ記憶部１０６には、携帯端末１００のＩＭＥＩが記憶される。ＩＭＥＩリスト１０８には、機種毎に予め設定されている自機で使用可能なＩＭＥＩのリストが記憶される。
【００２４】
無線通信部１１２は、アンテナ１１０を介して基地局（不図示）への接続を行い、他の通信端末と無線通信を行う。また、メール送受信やウェブページへのアクセスやデータのダウンロードおよびアップロードなどを行うこともできる。
【００２５】
操作部１１６は、操作キーやスイッチなどであり、ユーザが入力や指示を行うために操作するものである。操作受付部１１８は、操作部１１６の操作を受け付け、ＣＰＵ１０２に通知する。表示部１２０は、液晶ディスプレイや有機ＥＬディスプレイなどであり、各種画面を表示する。無線通信部１１２は、表示部１２０に各種画面を表示する制御を行う。Ｉ／Ｏ部１２４は、コネクタ１２６を介して接続された外部機器との情報の入出力を制御する。
【００２６】
図２は、本実施の形態の携帯端末１００の要部構成を示す機能ブロック図である。本実施形態の携帯端末１００は、自機のＩＭＥＩに基づき動作する携帯端末１００であって、自機のＩＭＥＩを記憶するＩＭＥＩ記憶部１０６と、自機が使用可能なＩＭＥＩのリストを記憶するＩＭＥＩリスト記憶部（ＩＭＥＩリスト１０８）と、外部から、ＩＭＥＩ記憶部１０６のＩＭＥＩの書換命令を受け付ける受付部（Ｉ／Ｏ部１２４）と、受付部（Ｉ／Ｏ部１２４）による外部からの書換命令の受付を検知する検知部２０２と、検知部２０２が書換命令を検知したとき、該書換命令に基づき、ＩＭＥＩ記憶部１０６に書き込まれるＩＭＥＩが、ＩＭＥＩリスト記憶部（ＩＭＥＩリスト１０８）に記憶されているリストに含まれているか否かを判定する書換判定部（判定部２０４）と、書換判定部（判定部２０４）によりリストに含まれていないと判定されたとき、書換命令によるＩＭＥＩの書換処理を中断し、リストに含まれていると判定されたとき、書換命令によるＩＭＥＩの書換処理を行う書換制御部（書込部２０８）と、を備える。
【００２７】
また、本実施形態の携帯端末１００において、メモリ１０４に格納されたＩＭＥＩを管理するＩＭＥＩ管理プログラムをＣＰＵ１０２が実行することで、上記機能が実現される。
【００２８】
本実施形態のＩＭＥＩ管理プログラムは、ＩＭＥＩに基づき動作する携帯端末１００のＩＭＥＩを管理するＩＭＥＩ管理プログラムであって、携帯端末１００のＩＭＥＩを記憶するＩＭＥＩ記憶部１０６と、自機が使用可能なＩＭＥＩのリストを記憶するＩＭＥＩリスト記憶部（ＩＭＥＩリスト１０８）とを備えるコンピュータを、外部から、ＩＭＥＩ記憶部１０６のＩＭＥＩの書換命令を受け付ける手段（Ｉ／Ｏ部１２４）、外部からの書換命令の受付を監視する手段（検知部２０２）、外部からの書換命令を検知したとき、該書換命令に基づき、ＩＭＥＩ記憶部１０６に書き込まれるＩＭＥＩが、ＩＭＥＩリスト記憶部（ＩＭＥＩリスト１０８）に記憶されているリストに含まれているか否かを判定する手段（判定部２０４）、リストに含まれていないと判定されたとき、書換命令によるＩＭＥＩの書換処理を中断する手段（ＣＰＵ１０２）、リストに含まれていると判定されたとき、書換命令によるＩＭＥＩの書換処理を行う手段（書込部２０８）、として機能させるためのＩＭＥＩ管理プログラムである。
【００２９】
具体的には、図２に示すように、ＣＰＵ１０２は、検知部２０２と、判定部２０４と、書込部２０８とを含む。検知部２０２は、外部からＩ／Ｏ部１２４を介して、ＩＭＥＩ記憶部１０６のＩＭＥＩの書換命令を受け付けたことを検知する。判定部２０４は、検知部２０２が外部からの書換命令を検知したとき、該書換命令に基づき、メモリ１０４にアクセスし、ＩＭＥＩ記憶部１０６に書き込まれるＩＭＥＩが、ＩＭＥＩリスト１０８に記憶されているリストに含まれているか否かを判定する。ＣＰＵ１０２は、リストに含まれていないと判定されたとき、書換命令によるＩＭＥＩの書換処理を中断し、一方、リストに含まれていると判定されたとき、書込部２０８に書換命令によるＩＭＥＩの書換処理を行わせる。
【００３０】
このように構成された本実施形態の携帯端末１００の動作について、以下に説明する。図３は、本実施形態の携帯端末１００のＩＭＥＩの書き換え動作の一例を示すフローチャートである。以下、図１乃至図３を用いて説明する。
【００３１】
本実施形態のＩＭＥＩ管理方法は、自機のＩＭＥＩを記憶するＩＭＥＩ記憶部１０６と、自機が使用可能なＩＭＥＩのリストを記憶するＩＭＥＩリスト記憶部（ＩＭＥＩリスト１０８）と、を備え、自機のＩＭＥＩに基づき動作する携帯端末１００のＩＭＥＩ管理方法であって、自機が使用可能なＩＭＥＩのリストをＩＭＥＩリスト記憶部（ＩＭＥＩリスト１０８）に予め記憶し、外部から、ＩＭＥＩ記憶部１０６のＩＭＥＩの書換命令を受け付け、外部からの書換命令の受付を監視し（ステップＳ１１）、外部からの書換命令を検知したとき（ステップＳ１１のＹＥＳ）、該書換命令に基づき、ＩＭＥＩ記憶部１０６に書き込まれるＩＭＥＩが、ＩＭＥＩリスト記憶部（ＩＭＥＩリスト１０８）に記憶されているリストに含まれているか否かを判定し（ステップＳ１３）、リストに含まれていないと判定されたとき（ステップＳ１３のＮＯ）、書換命令によるＩＭＥＩの書換処理を中断し（終了）、リストに含まれていると判定されたとき（ステップＳ１３のＹＥＳ）、書換命令によるＩＭＥＩの書換処理を行う（ステップＳ１５）。
【００３２】
はじめに、携帯端末１００では、予め機種毎に設定された自機が使用可能なＩＭＥＩのリストがメモリ１０４のＩＭＥＩリスト１０８に記憶されている。そして、検知部２０２が、外部からＩ／Ｏ部１２４を介して、ＩＭＥＩ記憶部１０６のＩＭＥＩの書換命令を受け付けたか否かを監視する（Ｓ１１）。コネクタ１２６を介して接続された外部機器から、ＩＭＥＩへの書換命令が指示されると、Ｉ／Ｏ部１２４が受け付けてＣＰＵ１０２に通知する。ＣＰＵ１０２において、Ｉ／Ｏ部１２４から検知部２０２が書換命令を受け付けたとき（Ｓ１１のＹＥＳ）、判定部２０４が、書換命令に基づき、メモリ１０４にアクセスし、ＩＭＥＩ記憶部１０６に書き込まれるＩＭＥＩに一致するＩＭＥＩが、ＩＭＥＩリスト１０８に記憶されているリストに含まれているか否かを判定する（Ｓ１３）。判定部２０４がＩＭＥＩリスト１０８に含まれていないと判定したとき（Ｓ１３のＮＯ）、処理を終了し、書換命令によるＩＭＥＩの書換処理を中断する。判定部２０４が外部から書き込まれるＩＭＥＩがＩＭＥＩリスト１０８に含まれていると判定したとき（Ｓ１３のＹＥＳ）、書込部２０８が書換命令によりＩＭＥＩ記憶部１０６のＩＭＥＩの書換処理を行う（Ｓ１５）。
【００３３】
以上説明したように、本実施形態の携帯端末１００によれば、想定されるＩＭＥＩ記憶部１０６への不正な書換方法の一つである上述の外部のツールを用いてＩＭＥＩを書き換える方法で不正に書換られようとするＩＭＥＩを検知し、ＩＭＥＩの書き換えを未然に防止することができる。
【００３４】
（第二の実施の形態）
本実施形態の携帯端末１００は、上記実施の形態の携帯端末１００とは、同じ構成を有するが、ＩＭＥＩ記憶部１０６への書換方法が異なり、メモリ１０４のＩＭＥＩの記憶領域であるＩＭＥＩ記憶部１０６に不正なＩＭＥＩを書き込む方法で書き換えられたＩＭＥＩによる携帯端末１００の動作を防止するための構成を有する点で相違する。以下、図１、図２、および図４を用いて説明する。
【００３５】
本実施形態の携帯端末１００は、自機のＩＭＥＩに基づき動作する携帯端末１００であって、自機のＩＭＥＩを記憶するＩＭＥＩ記憶部１０６と、自機が使用可能なＩＭＥＩのリストを記憶するＩＭＥＩリスト記憶部（ＩＭＥＩリスト１０８）と、ＩＭＥＩ記憶部１０６のＩＭＥＩがＩＭＥＩリスト記憶部（ＩＭＥＩリスト１０８）に記憶されているリストに含まれているか否かを判定する判定部２０４と、判定部２０４によりリストに含まれていないと判定されたとき、ＩＭＥＩ記憶部１０６のＩＭＥＩは無効として自機の動作を制限し、リストに含まれていると判定されたとき、通常動作を行う制御部（ＣＰＵ１０２）と、を備える。
【００３６】
判定部２０４による判定は、随時行ってもよいし、定期的に行ってもよい。ＣＰＵ１０２による動作の制限とは、たとえば、携帯端末の使用や操作を不可にしたり、通信を禁止したりすることである。また、ＩＭＥＩがリストと一致しないことをユーザまたは管理者に通知する通知部（不図示）を設けることもできる。通知部は、たとえば、表示部１２０にメッセージを表示したり、スピーカからアラーム音やメッセージを出力することでユーザに通知することができる。あるいは、通知部は、無線通信部１１２を介して管理者の端末にメッセージを送信することもできる。
【００３７】
また、本実施形態の携帯端末１００において、判定部２０４は、起動時に判定を行い、制御部（ＣＰＵ１０２）は、判定部２０４によりリスト（ＩＭＥＩリスト１０８）に含まれていないと判定されたとき、自機の起動処理を中断し、リスト（ＩＭＥＩリスト１０８）に含まれていると判定されたとき、起動処理を行う。
【００３８】
このように構成された本実施形態の携帯端末１００の動作について以下に説明する。図４は、本実施形態の携帯端末１００のＩＭＥＩ管理の動作の一例を示すフローチャートである。
【００３９】
本実施形態の携帯端末１００のＩＭＥＩ管理方法は、自機のＩＭＥＩを記憶するＩＭＥＩ記憶部１０６と、自機が使用可能なＩＭＥＩのリストを記憶するＩＭＥＩリスト記憶部（ＩＭＥＩリスト１０８）と、を備え、自機のＩＭＥＩに基づき動作する携帯端末１００のＩＭＥＩ管理方法であって、自機が使用可能なＩＭＥＩのリストをＩＭＥＩリスト記憶部（ＩＭＥＩリスト１０８）に予め記憶し、ＩＭＥＩ記憶部１０６のＩＭＥＩがＩＭＥＩリスト記憶部（ＩＭＥＩリスト１０８）に記憶されているリストに含まれているか否かを判定し（ステップＳ２１、ステップＳ２３）、リスト（ＩＭＥＩリスト１０８）に含まれていないと判定されたとき（ステップＳ２３のＮＯ）、ＩＭＥＩ記憶部１０６のＩＭＥＩは無効として自機の動作を制限し（ステップＳ２５）、リストに含まれていると判定されたとき（ステップＳ２３のＹＥＳ）、通常動作を行う（終了）。
【００４０】
具体的には、本実施形態の携帯端末１００において、不正にＩＭＥＩ記憶部１０６のＩＭＥＩの書き換えが行われてしまった場合を例に説明する。携帯端末１００の電源がオンされると、はじめにＣＰＵ１０２はメモリ１０４のＩＭＥＩ記憶部１０６からＩＭＥＩを読み出す（Ｓ２１）。そして、判定部２０４が、メモリ１０４にアクセスし、ＩＭＥＩリスト１０８に、読み出したＩＭＥＩと一致するＩＭＥＩが存在するか否かを判定する（Ｓ２３）。判定部２０４がＩＭＥＩリスト１０８に含まれていると判定したとき（Ｓ２３のＹＥＳ）、本処理を終了し、起動処理を行い、通常動作に入る。
【００４１】
一方、判定部２０４が、ＩＭＥＩリスト１０８に含まれていないと判定したとき（Ｓ２３のＮＯ）、自機の起動処理を中断する（Ｓ２５）。そして、通知部が、ＩＭＥＩが不正に書き換えられ、使用不能である旨を通知し（Ｓ２７）、終了する。
【００４２】
以上説明したように、本実施形態の携帯端末１００によれば、携帯端末１００の起動時に、ＩＭＥＩをＩＭＥＩリスト１０８に基づきチェックすることで、不正に書き換えられてしまった場合、不正なＩＭＥＩを使用した携帯端末１００の動作を阻止できる。
【００４３】
以上、図面を参照して本発明の実施形態について述べたが、これらは本発明の例示であり、上記以外の様々な構成を採用することもできる。
【図面の簡単な説明】
【００４４】
【図１】本発明の実施の形態に係る携帯端末の構成を示すブロック図である。
【図２】図１の携帯端末の要部構成を示す機能ブロック図である。
【図３】本発明の実施の形態に係る携帯端末のＩＭＥＩの書き換え動作の一例を示すフローチャートである。
【図４】本発明の実施の形態に係る携帯端末のＩＭＥＩ管理動作の一例を示すフローチャートである。
【符号の説明】
【００４５】
１００  携帯端末
１０２  ＣＰＵ
１０４  メモリ
１０６  ＩＭＥＩ記憶部
１０８  ＩＭＥＩリスト
１１０  アンテナ
１１２  無線通信部
１１６  操作部
１１８  操作受付部
１２０  表示部
１２２  表示制御部
１２４  Ｉ／Ｏ部
１２６  コネクタ
１２８  バス
２０２  検知部
２０４  判定部
２０８  書込部
【図１】
2008227692.tif 000003
【図２】
2008227692.tif 000004
【図３】
2008227692.tif 000005
【図４】
2008227692.tif 000006